(57)【要約】      （修正有）【課題】傘の骨組みを提供する。【解決手段】傘軸からそれぞれ第１傘骨２及び第２傘骨３が組み付けられると共に、第２傘骨により第１傘骨のダボ２１に枢結され、その特徴は、前記第１傘骨と第２傘骨との間に突っ張り組が枢結され、前記突っ張り組のその各端が、第１傘骨と第２傘骨との枢結部における夾角内の適切な位置上に設けられ、前記ダボにスリーブ管５が連設され、そのスリーブ管の他端に支持具６の牽引片６１が設けられると共に、牽引片を傘翼部材６２の重心箇所に突き当て、前記スリーブ管にスリーブ嵌合される第１傘骨が、また支持具の傘翼部材の中心下に差し込み突き当てられることにある。傘具を開放するとき、第２傘骨の作動によりダボがスリーブ管を押動するように駆使してから、スリーブ管が支持具の牽引片を押し進めるように駆動させ、第１傘骨が傘翼部材下に突き当てられるため、押し進められる連結管及び牽引片が傘翼部材を外向きに展開するように促せる。【選択図】図１
0003223026.tif 000002
【実用新案登録請求の範囲】
【請求項１】
傘軸からそれぞれ第１傘骨及び第２傘骨が組み付けられると共に、第２傘骨により第１傘骨のダボ箇所に枢結される傘の骨組みであって、
前記第１傘骨と第２傘骨との間に突っ張り組が枢結され、前記突っ張り組の各端が、第１傘骨と第２傘骨との枢結部における夾角内の適切な位置上に設けられ、前記ダボにスリーブ管が連設され、そのスリーブ管の他端に支持具の連結管が組み付けられ、前記連結管に２つの牽引片が連設されると共に、牽引片を各々に傘翼部材の両翼重心箇所に突き当て、前記ダボ及びスリーブ管には、第１傘骨がスリーブ嵌合されるように、摺動性を持たせ、また第１傘骨が支持具の傘翼部材の中心箇所に差し込み突き当てられることを特徴とする、傘の骨組み。
【請求項２】
前記突っ張り組は、支軸と、スリーブ部材とから構成され、前記スリーブ部材が第１傘骨にスリーブ嵌合され、また支軸の両端が各々スリーブ部材及び第２傘骨上に枢結されることを特徴とする、請求項１に記載の傘の骨組み。
【請求項３】
傘軸からそれぞれ第１傘骨、第２傘骨、第３傘骨及び第４傘骨が組み付けられると共に、第２傘骨により第１傘骨の重心箇所に枢結され、第１傘骨が第３傘骨に枢結されてから、第３傘骨により第４傘骨のダボ箇所に枢結されることで、折り畳み傘の骨組みが形成される傘の骨組みであって、
前記第３傘骨と第４傘骨との間に突っ張り組が枢結され、前記突っ張り組の各端が、第３傘骨と第４傘骨の一端に設けられ、前記ダボにスリーブ管が連設され、そのスリーブ管の他端に支持具の連結管が組み付けられ、前記連結管に２つの牽引片が連設されると共に、牽引片を各々に傘翼部材の両翼重心箇所に突き当て、前記ダボ及びスリーブ管には、第３傘骨がスリーブ嵌合されるように、摺動性を持たせ、また第３傘骨が支持具の傘翼部材の中心箇所に差し込み突き当てられることを特徴とする、傘の骨組み。
【請求項４】
前記スリーブ管には、位置規制ブロックが設けられ、前記連結管には、位置規制孔が設けられ、前記位置規制ブロックと位置規制孔は、位置規制係合がなされることを特徴とする、請求項１または請求項３に記載の傘の骨組み。
【請求項５】
前記突っ張り組は、支軸と、スリーブ部材とから構成され、前記スリーブ部材が第３傘骨にスリーブ嵌合され、また支軸の両端が各々スリーブ部材及び第４傘骨上に枢結されることを特徴とする、請求項３に記載の傘の骨組み。
【考案の詳細な説明】
【技術分野】
【０００１】
本考案は、傘の骨組みに係り、特に、突っ張り構造を利用して傘骨の突っ張り効果を好適化させ、及び傘骨とスリーブ管とのスリーブ嵌合を利用することにより、支持具を押動させて傘骨の尾端形態を変化させる斬新な構造に関するものである。
【背景技術】
【０００２】
一般の傘具は、遮蔽や防雨のために広汎に使用されており、かつ日進月歩の状況を迎えている中、昨今の傘具の全体構造を変更しないことを前提に、傘具の開発が既に完全に成し遂げられており、その好適化のさらなる向上、及び傘型の外観形態の変化のみについて、その効能を増進させる。
【０００３】
図１２に示すように、従来技術における傘具構造は、傘軸１０及び複数の傘骨２０などの主要な構成部材から構成され、前記傘軸１０上に傘ろくろ１０１が設けられ、また傘骨２０が傘ろくろ１０１上に組み付けられ、傘具を開放しようとするとき、傘ろくろ１０１を押動させて傘骨２０を支え上げるように連動させることで、遮蔽用の傘具構造が形成され、上記傘具構造は、傘の基本機能を持つものの、傘面にはその弧度をより一層好適化することができるはずであるので、遮蔽の効能を増加させる。
【考案の概要】
【考案が解決しようとする課題】
【０００４】
本考案は、傘骨の弧度がより大きくなるように実施する傘骨を突っ張らせる構成部材を備え、及び傘具がスリーブ管を押動することにより、傘骨の尾端形態を変化させることで、より一層美観を向上させることができる傘の骨組みを提供することを目的とする。
【課題を解決するための手段】
【０００５】
本考案は、上記目的を達成するために、具体的に採用した技術手段と技術方案については以下の通りである。
【０００６】
本考案に係る傘の骨組みは、傘軸からそれぞれ第１傘骨及び第２傘骨が組み付けられると共に、第２傘骨により第１傘骨のダボ箇所に枢結されることで、長傘の骨組みが形成され、その特徴は、前記第１傘骨と第２傘骨との間に突っ張り組が枢結され、前記突っ張り組のその各端が、第１傘骨と第２傘骨との枢結部における夾角内の適切な位置上に設けられ、前記ダボにスリーブ管が連設され、そのスリーブ管の他端に支持具の牽引片が設けられると共に、牽引片を各々に傘翼部材の両翼重心箇所に突き当て、前記ダボ及びスリーブ管には、第１傘骨がスリーブ嵌合されるように、摺動性を持たせ、また第１傘骨が支持具の傘翼部材の中心箇所に差し込み突き当てられることにある。
【０００７】
本考案に係る傘の骨組みは、別種の傘類の実施方式があり、それは傘軸からそれぞれ第１傘骨、第２傘骨、第３傘骨及び第４傘骨が組み付けられると共に、第２傘骨により第１傘骨の重心箇所に枢結され、第１傘骨が第３傘骨に枢結されてから、第３傘骨により第４傘骨のダボ箇所に枢結されることで、折り畳み傘の骨組みが形成され、その特徴は、前記第３傘骨と第４傘骨との間に突っ張り組が枢結され、前記突っ張り組のその各端が、第３傘骨と第４傘骨の一端に設けられ、前記ダボにスリーブ管が連設され、そのスリーブ管の他端に支持具の連結管が組み付けられ、前記連結管に２つの牽引片が連設されると共に、牽引片を各々に傘翼部材の両翼重心箇所に突き当て、前記ダボ及びスリーブ管には、第３傘骨がスリーブ嵌合されるように、摺動性を持たせ、また第３傘骨が支持具の傘翼部材の中心箇所に差し込み突き当てられることにある。
【考案の効果】
【０００８】
本考案によれば、突っ張り構造を利用して傘骨の突っ張り効果を好適化させ、及び傘骨とスリーブ管とのスリーブ嵌合を利用することにより、支持具を押動させて傘骨の尾端形態を変化させることができる。
【図面の簡単な説明】
【０００９】
【図１】本考案（長傘）の外観斜視展開図である。
【図２】本考案の正面展開図である。
【図３】本考案の突っ張り組及びダボの拡大展開図である。
【図４】本考案のスリーブ管及び支持具の拡大展開図である。
【図５】本考案のスリーブ管及び支持具の分解拡大図である。
【図６】本考案の正面収束圖である。
【図７】本考案の突っ張り組及びダボの拡大収束図である。
【図８】本考案のスリーブ管及び支持具の拡大収束図である。
【図９】本考案（折り畳み傘）の外観斜視展開図である。
【図１０】本考案の正面展開図である。
【図１１】本考案の第４傘骨、スリーブ管及び支持具の拡大展開図である。
【図１２】従来技術の傘骨組み構造の正面展開図である。
【考案を実施するための形態】
【００１０】
図１に示すように、本考案に係る傘の骨組みは、傘軸１からそれぞれ第１傘骨２及び第２傘骨３が組み付けられると共に、第２傘骨３により第１傘骨２のダボ２１箇所に枢結されることで、長傘の骨組みが形成され、その特徴は、前記第１傘骨２と第２傘骨３との間に突っ張り組４が枢結され、前記突っ張り組４のその各端が、第１傘骨２と第２傘骨３との枢結部における夾角内の適切な位置上に設けられ、前記ダボ２１にスリーブ管５が連設され、そのスリーブ管５の他端に支持具６の連結管６３が組み付けられ、前記連結管６３に２つの牽引片６１が連設されると共に、牽引片６１を各々に傘翼部材６２の両翼重心箇所に突き当て、前記ダボ２１及びスリーブ管５には、第１傘骨２がスリーブ嵌合されるように、摺動性を持たせ、また第１傘骨２が支持具６の傘翼部材６２の中心箇所に差し込み突き当てられることにある。
前記突っ張り組４は、支軸４１と、スリーブ部材４２とから構成され、前記スリーブ部材４２が第１傘骨２にスリーブ嵌合され、また支軸４１の両端が各々スリーブ部材４２及び第２傘骨３上に枢結される。
【００１１】
図２〜図４に示すように、傘具を開放するとき、第２傘骨３が上に向かうと共に、第１傘骨２を展開するように従動し、この時、第１傘骨２と第２傘骨３との間に設けられた突っ張り組４は、支軸４１を介して第１傘骨２の中間段箇所に昇りつめられることにより、第１傘骨２の突っ張りを補助すると同時に、第２傘骨３が第１傘骨２に設けられたダボ２１への押動を伴って摺動することから、スリーブ管５を第１傘骨２外に摺動するように従動し、またスリーブ管５が再び順次に連結管６３と牽引片６１を従動させることで、傘翼部材６２を牽引し、この時、第１傘骨２が傘翼部材６２下に組み付けられ、また牽引片６１が両翼重心箇所に設けられると共に、第１傘骨２と傘翼部材６２との中心位置が不動である場合、連結管６３が摺動することで、牽引片６１のみを外向きに展開させることができるによって、傘翼部材６２の両翼を展開するように促すことにより、傘骨の尾端形態を変えることから、傘面の外観変化に影響を与えている。
また、前記突っ張り組４の昇りつめた状態のとき、スリーブ管５の摺動距離を制限できる効能が別途あり、適切な長さの支軸４１を設置することにより、第２傘骨３がダボ２１、スリーブ管５を押動する摺動空間を制限することができるので、支持具６の傘翼部材６２が過度に展開されて傘面にダメージを与えることを回避できる。
【００１２】
図５に示すように、前記スリーブ管５には、位置規制ブロック５１が設けられ、前記連結管６３には、位置規制孔６３１が設けられ、前記位置規制ブロック５１と位置規制孔６３１は、位置規制係合がなされる。これに従い、前記支持具６が独立の物体であり、生産時、各傘具金型とは相互に影響せずに、それらを任意に各タイプの傘具の応用に合わせることができる。
【００１３】
図６〜図８に示すように、一方、傘を収めるとき、第２傘骨３が下に向かって第１傘骨２を収束するように従動し、前記突っ張り組４の支軸４１を介して昇りつめた状態の解除を伴って前記第２傘骨３がダボ２１、スリーブ管５をスリーブ部材４２箇所に向かって摺動するように従動させると同時に、スリーブ管５が２つの牽引片６１を内向きに束ね合うように従動させて、傘翼部材６２の両翼をも束ね合わせるようにすれば、傘を収める作動が完了する。これにより、外観多様性と構造強度要求を考慮した上の多重効能において、傘の骨組み構造に対しより好ましい使用実用程度を有効に提供することができる、
【００１４】
図９〜図１１に示すように、本考案に係る傘の骨組みは、別種の傘類の実施方式があり、傘軸１からそれぞれ第１傘骨２、第２傘骨３、第３傘骨７及び第４傘骨８が組み付けられると共に、第２傘骨３により第１傘骨２の重心箇所に枢結され、第１傘骨２が第３傘骨７に枢結されてから、第３傘骨７により第４傘骨８のダボ８２箇所に枢結されることで、折り畳み傘の骨組みが形成され、その特徴は、前記第３傘骨７と第４傘骨８との間に突っ張り組４が枢結され、前記突っ張り組４のその各端が、第３傘骨７と第４傘骨８の一端に設けられ、前記ダボ８２にスリーブ管５が連設され、そのスリーブ管５の他端に支持具６の連結管６３が組み付けられ、前記連結管６３に２つの牽引片６１が連設されると共に、牽引片６１を各々に傘翼部材６２の両翼重心箇所に突き当て、前記ダボ８２及びスリーブ管５には、第３傘骨７がスリーブ嵌合されるように、摺動性を持たせ、また第３傘骨７が支持具６の傘翼部材６２の中心箇所に差し込み突き当てられることにある。
前記突っ張り組４は、支軸４１と、スリーブ部材４２とから構成され、前記スリーブ部材４２が第３傘骨７にスリーブ嵌合され、また支軸４１の両端が各々スリーブ部材４２及び第４傘骨８上に枢結される。
前記第１傘骨２と第４傘骨８との間に牽引軸９１連設され、前記第１傘骨２から第３傘骨７の中間段箇所まで弾性部材９２が接合され、前記第２傘骨３と第３傘骨７との間に牽引軸９１が連設される。
【符号の説明】
【００１５】
従来技術
１０     傘軸
１０１    傘ろくろ
２０     傘骨
本考案
１     傘軸
２     第１傘骨
２１，８２    ダボ
３     第２傘骨
４     突っ張り組
４１    支軸
４２    スリーブ部材
５     スリーブ管
５１    位置規制ブロック
６     支持具
６１    牽引片
６２    傘翼部材
６３    連結管
６３１  位置規制孔
７     第３傘骨
８     第４傘骨
９１    牽引軸
９２    弾性部材
【図１】
0003223026.tif 000003
【図２】
0003223026.tif 000004
【図３】
0003223026.tif 000005
【図４】
0003223026.tif 000006
【図５】
0003223026.tif 000007
【図６】
0003223026.tif 000008
【図７】
0003223026.tif 000009
【図８】
0003223026.tif 000010
【図９】
0003223026.tif 000011
【図１０】
0003223026.tif 000012
【図１１】
0003223026.tif 000013
【図１２】
0003223026.tif 000014